Podtech/llm-jp-corpus-v4-ja_patent huggingface dataset:
(57)【要約】      （修正有）【課題】通気効果を有し、車両の内部が高温になることを防止できる電気駆動の車両窓用窓板を提供する。【解決手段】裏板１１と、外板１２と、裏板と外板を連接する連接板１３と、裏板と外板と連接板の間に位置する空間１４を含む電気駆動の車両窓用窓板において、裏板と外板には、同じ距離を置いて設けられている通気穴１１１、１２１がそれぞれ複数設けられており、通気穴１１１、１２１は空間１４と連通し、裏板の通気穴と外板の通気穴は、相互にそれぞれを囲むプレートに対応して配置され、外板の通気穴の直径は２ｍｍよりも小さい。【選択図】図１
0003195968.tif 000002
【実用新案登録請求の範囲】
【請求項１】
裏板と、外板と、前記裏板と前記外板を連接する連接板と、前記裏板と前記外板と前記連接板の間に位置する空間を含む電気駆動車両窓用窓板において、
前記裏板と前記外板には、同じ距離を置いて設けられている通気穴がそれぞれ複数設けられ、前記通気穴は前記空間と連通し、前記裏板の前記通気穴は、前記外板の前記通気穴を囲むプレートに対応し、前記外板の前記通気穴は、前記裏板の前記通気穴を囲むプレートに対応することを特徴とする電気駆動車両窓用窓板。
【請求項２】
前記外板の前記通気穴の直径は２ｍｍよりも小さいことを特徴とする、請求項１に記載の電気駆動車両窓用窓板。
【考案の詳細な説明】
【技術分野】
【０００１】
本考案は、電気駆動により開閉する車両窓に関し、特に、車両の内部が高温にならないよう通気効果を有する電気駆動車両窓用窓板に関するものである。
【背景技術】
【０００２】
一般に、自動車の窓は電気駆動によって昇降するため、運転者は自動車の窓を便利に昇降することが可能である。自動車の窓は、モータで軸を駆動して、前記軸が伝動具を駆動し、前記伝動具が昇降機構を駆動して、前記昇降機構により、ガラス製の窓板を昇降することができるよう構成されている。自動車から離れるときに、車両及び車両内の品物などの紛失を防止するために、運転者は自動車のドア及び窓を閉めることが一般的である。自動車のドア及び窓が閉められると、自動車の内部が外部と通気しないため、太陽光が自動車内に照射され、自動車の室内の温度が上昇して高温になる。自動車の内部が高温になると、車両内の品物が損壊したり、ハンドル及びシートなどが高温になって運転者が火傷するおそれがある。
【考案の概要】
【考案が解決しようとする課題】
【０００３】
本考案の解決課題は、通気効果を有し、車両の室内が高温にならないようにした電気駆動車両窓用窓板を提供することである。
【課題を解決するための手段】
【０００４】
本考案によれば、裏板と、外板と、裏板と外板を連接する連接板と、裏板と外板と連接板の間に位置する空間を含む電気駆動車両窓用窓板において、
裏板と外板には、同じ距離を置いて設けられている通気穴がそれぞれ複数設けられ、各通気穴は前記空間と連通し、裏板の通気穴は、外板の通気穴を囲むプレートに対応し、外板の通気穴は、裏板の通気穴を囲むプレートに対応することを特徴とする電気駆動車両窓用窓板が提供され、前記課題が解決される。
【０００５】
本考案の電気駆動車両窓用窓板によると、前記外板の通気穴の直径は２ｍｍよりも小さいことを特徴とし、上記課題が解決される。
【考案の効果】
【０００６】
本考案の電気駆動車両窓用窓板は、通気効果を有し、車両の内部が高温にならないようにすることができる。
【図面の簡単な説明】
【０００７】
【図１】本考案の一実施例を示す斜視図である。
【図２】本考案の一実施例を示す正面図である。
【図３】本考案の一実施例として示す前記窓板を車両のドアに組み込み、降下した状態を示す断面図である。
【図４】本考案の一実施例として示す前記窓板を車両のドアに組み込み、上昇した状態を示す断面図である。
【考案を実施するための形態】
【０００８】
以下、本考案の実施の形態を図面に基づいて説明する。
図１及び図２を参照する。図１は本考案の一実施例を示す斜視図であり、図２は本考案の一実施例を示す正面図である。本実施例の窓板１は、裏板１１と、裏板１１にほぼ平行する外板１２と、裏板１１と外板１２を連接する連接板１３と、裏板１１と外板１２と連接板１３の間に位置する空間１４を含む。裏板１１、外板１２及び連接板１３は、硬質で厚くて破裂しない材料（例えばステンレスプレートなど）をプレス加工によって成形される。裏板１１と外板１２には、通気穴１１１、１２１が、プレス加工によって、同じ距離を置いてそれぞれ複数設けられている。通気穴１１１、１２１は空間１４と連通する。裏板１１の通気穴１１１は、外板１２の通気穴１２１からずれる。すなわち、裏板１１の通気穴１１１は外板１２の通気穴１２１を囲むプレートに対応し、外板１２の通気穴１２１は裏板１１の通気穴１１１を囲むプレートに対応する。これにより、外板１２の通気穴１２１を通過する雨水は、図４に示すように、空間１４を経由して、裏板１１のプレートに衝突して、ドア３の底穴３１から自動車の外部に流出する。外板１２の通気穴１２１の直径は２ｍｍよりも小さいことが好ましい。
【０００９】
本考案の使用状態について、図３及び図４を参照して説明する。図３は本考案の一実施例に示す窓板１が車両のドア３に組み込まれ、降下した状態を示す断面図であり、図４は前記窓板１が上昇し、ガラス板２が降下した状態を示す断面図である。図３及び図４に示した昇降機構４としては、例えば台湾特許第０７８２０３４８４号の「電気駆動二層窓」に記載された昇降装置と同じように、一セットの動力伝達機構によって、二セットの車両窓昇降装置を作動したり、又は二セットの動力伝達機構によって、二セットの車両窓昇降装置をそれぞれ作動するようにした昇降装置を用いることができる。本実施例の窓板１を利用したくないときには、図３に示すように、昇降機構４を作動することにより、窓板１を降下する。なお、本実施例の窓板１を利用したいときには、図４に示すように、昇降機構４を作動することにより、窓板１を上昇して、ドア３のガラス板２を降下する。このように、車両のドア及び窓を閉めても、窓板１が通気穴１１１、１２１を有するため、通気効果を有し、車両の内部が高温にならない。
【００１０】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１１】
本考案は、車両に適用することができる。
【符号の説明】
【００１２】
１  窓板
２  ガラス板
３  ドア
４  昇降機構
１１  裏板
１２  外板
１３  連接板
１４  空間
３１  底穴
１１１  通気穴
１２１  通気穴
【図１】
0003195968.tif 000003
【図２】
0003195968.tif 000004
【図３】
0003195968.tif 000005
【図４】
0003195968.tif 000006
(57)【要約】      （修正有）【課題】観覧車模型を電動で回転させ、ゴンドラ模型の設置面との角度を一定に保持し、発光ダイオードを取り付けることにより、実在の観覧車を精巧に再現する電動観覧車模型を提供する。【解決手段】電動観覧車模型１を低回転電動機により回転させ、ホイール２の回転角度に関係なく、ホイール２の外周もしくはホイール外周のアーム先端３と回転自由に接続するゴンドラ模型７が観覧車模型の設置面に対して常に一定角度になるよう、バランスウェイトをゴンドラ模型内に具備し、さらに、支柱１６に発光ダイオードランプ１７を取り付け、調光器により点灯および点滅動作を制御する。【選択図】図１
0003195901.tif 000002
【実用新案登録請求の範囲】
【請求項１】
低回転電動機（１２）とホイール（２）のそれぞれの軸にプーリ（１３）を取り付け、このプーリの外周にベルト（１４）を掛けて動力を伝導する機構により、ホイール（２）を回転させることを特徴とする電動観覧車模型。
【請求項２】
ホイール（２）の外周のアーム（３）の先端とゴンドラ模型（７）を回転自由に接続し、ゴンドラ模型（７）が観覧車模型の設置面に対して常に一定角度になるよう、バランスウェイト（８）をゴンドラ模型（７）の中に具備したことを特徴とする請求項１記載の電動観覧車模型。
【請求項３】
支柱（１６）に発光ダイオード（１７）を備え、任意に点灯および点滅させることを特徴とする請求項１または２記載の電動観覧車模型。
【考案の詳細な説明】
【技術分野】
【０００１】  本考案は、観覧車模型の改良に関する。
【背景技術】
【０００２】  従来の観覧車模型においては、実在の観覧車の形状を再現するものにとどまっていた。
【考案の概要】
【考案が解決しようとする課題】
【０００３】  ホイールが回転可能な観覧車模型において、ホイールとゴンドラ模型が一体となって回転し、ゴンドラ模型が観覧車模型を設置した面に対して常に一定の角度にならないという問題があった。【０００４】  実在の観覧車同様にホイールを電動で回転させるためホイールにモータを組み込む場合には、ホイールの回転を妨げ、また配線が困難であるという課題があった。【０００５】  実在の観覧車においては、電飾が設置されているものが多く、観覧車模型では電飾を表現しているものがなかった。【０００６】  本発明の目的は、観覧車模型を電動で回転させ、ゴンドラ模型の設置面との角度をホイールの回転角度と関係なく一定に保持することで、観覧車を精巧に再現することである。【０００７】  また、電球等のような電飾を精巧に再現するものである。
【課題を解決するための手段】
【０００８】  前記の目的を達成するため、ホイールの回転角度に関係なく、ホイール外周もしくはホイール外周のアーム先端と回転自由に接続するゴンドラ模型を有する電動観覧車模型において、ゴンドラ模型が観覧車模型の設置面に対して常に一定角度になるようバランスウェイトをゴンドラ模型内に具備することを特徴とする。【０００９】  また、コントローラにより、ホイールの回転速度を任意に制御できることを特徴とする。【００１０】  さらに、支柱部分に発光ダイオードランプを取り付け、調光器により点灯、点滅動作および発光色を任意に制御できることを特徴とする。
【考案の効果】
【００１１】  本考案は上記のように構成されるので、本考案によるときは、観覧車の外観、観覧車の回転動作および電飾を精密に表現でき、精巧な模型を提供できるものである。
【図面の簡単な説明】
【００１２】
【図１】本考案の観覧車模型の一実施例を示す正面図である。
【図２】本考案の観覧車模型の一実施例を示す側面図である。
【図３】本考案の観覧車模型のもう一つの実施例を示す正面図である。
【図４】本考案の観覧車模型のもう一つの一実施例を示す側面図である。
【図５】本考案の観覧車模型のゴンドラ模型部分を示す正面図である。
【図６】本考案の観覧車模型のゴンドラ模型部分を示す側面図である。
【図７】本考案の観覧車模型のゴンドラ模型部分の断面図である。
【考案を実施するための形態】
【００１３】  図１は本考案の電動観覧車模型の外観図である。
【００１４】  ギアドモータのような低回転電動機１２に取り付けたプーリ１３と、ホイール２の回転軸９に取り付けたプーリ１０のそれぞれの外周にベルト１４を掛けて動力を伝導する。
【００１５】  低回転電動機１２に接続されたコントローラ１５を操作することにより、任意の回転方向および速度でホイール２を回転させることができる。
【００１６】  図４で示すように、ホイール外周アームの先端３ａとゴンドラ模型７の間にスペーサ６を挟み、アーム先端の穴３ｂと、ゴンドラ模型上部の穴７ａにピン４を通し、ゴンドラ模型７がホイール２に対して回転自由となるようにする。
【００１７】  図３（ｂ）で示すように、ホイール２の外周に穴２ｂを設け、ゴンドラ模型７の間にスペーサ６を挟み、穴３ｂと、ゴンドラ模型上部の穴７ａにピン４を通し、ゴンドラ模型７がホイール２に対して回転自由となるようにする。
【００１８】  ゴンドラ模型内部には、図５（ａ）のように砂状バランスウェイトや、図５（ｂ）のように金属バランスウェイトを入れる。
【００１９】  ゴンドラ模型７には常時下向きの重力とバランスウェイト８の重量が働いており、その力によってゴンドラ模型７は常に一定の角度で設置面に相対する。
【００２０】  図２で示すように、支柱１６には複数個の赤、緑、青の発光ダイオード１７が配列されたテープ１８を取り付け、調光器１９を操作することにより、発光色や点灯、点滅の制御を行うことができる。
【００２１】  発光ダイオード１７はテープ状に配列されたものに限らず、発光ダイオード１７と配線を直接支柱に取り付けることもできる。
【符号の説明】
【００２２】  １    電動観覧車模型
２    ホイール
２ｂ  穴
３    アーム
３ａ  アーム先端
３ｂ  穴
４    ピン
５    ピン止め
６    スペーサ
７    ゴンドラ模型
７ａ  穴
８    バランスウェイト
９    回転軸
１０    プーリ
１１    ベアリング
１２    低回転電動機
１３    プーリ
１４    ベルト
１５    コントローラ
１６    支柱
１７    発光ダイオード
１８    テープ
１９    調光器
【図１】
0003195901.tif 000003
【図２】
0003195901.tif 000004
【図３】
0003195901.tif 000005
【図４】
0003195901.tif 000006
【図５】
0003195901.tif 000007
【図６】
0003195901.tif 000008
【図７】
0003195901.tif 000009
(57)【要約】      （修正有）【課題】ミスト冷却機は、直射日光が当たると内部の温度が上昇するので、これを防ぐためのミスト冷却機用カバーを提供する。【解決手段】ミスト冷却機１の前面側に配置されて固定され、前面に所定のキャラクターが表され、裏面にはミスト冷却機１の前面と当接する当接部３と、ミスト冷却機１の一部を貫通するボルトが螺合する雌螺子部４とが形成されている。【選択図】図１
0003196692.tif 000002
【実用新案登録請求の範囲】
【請求項１】
ミスト冷却機の前面側に配置されて固定され、前面に所定のキャラクターが表されたことを特徴とするミスト冷却機用カバー。
【請求項２】
裏面には、ミスト冷却機の前面と当接する当接部と、ミスト冷却機の一部を貫通するボルトが螺合する雌螺子部とが形成されていることを特徴とする請求項1に記載のミスト冷却機用カバー。
【請求項３】
前面には発光体が取り付けられていることを特徴とする請求項1又は2に記載のミスト冷却機用カバー。
【考案の詳細な説明】
【技術分野】
【０００１】
本考案は、ミスト冷却機のカバーに関するものである。
【先行技術文献】
【非特許文献】
【０００２】
【非特許文献１】「スーパー工業株式会社  高圧洗浄機総合カタログA-Vol6」、スーパー工業株式会社2014年、P56
【考案の概要】
【考案が解決しようとする課題】
【０００３】
ミスト冷却機は、直射日光が当ると内部の温度が上昇するので、これを防ごうとするものである。
【０００４】
ミスト冷却機により、周辺温度を下げるとともにキャラクター及び発光体の発光により人々を楽しませようとするものである。
【課題を解決するための手段】
【０００５】
本考案はミスト冷却機1の前面側に配置されて固定され、前面に所定のキャラクターが表されたことを特徴とするミスト冷却機用カバー2であり、課題を解決している。
【０００６】
裏面には、ミスト冷却機1の前面と当接する当接部3と、ミスト冷却機の一部を貫通するボルトが螺合する雌螺子部4とが形成されているミスト冷却機用カバー。
【０００７】
前面には発光体5が取り付けられているミスト冷却機用カバー。
【０００８】
ミスト冷却機用カバー2は発泡スチロール・FRP等の主として石油系の材料によりつくられる。
【０００９】
ミスト冷却機用カバー2にはペンギン等の動物や雪だるま等の静物のキャラクターが取り付けられる。
【考案の効果】
【００１０】
ミスト冷却機用カバー2でミスト冷却機1の前面を覆う事により、ミスト冷却機内部の温度上昇を防ぐ事が出来る。
【図面の簡単な説明】
【００１１】
【図１】この考案にかかるミスト冷却機用カバーを取り付けた側面図である。
【図２】この考案にかかるミスト冷却機用カバーを取り付けた正面図である。
【考案を実施するための形態】
【００１２】
ミスト冷却機1の前面側に配置されて固定され、前面に所定のキャラクターが表されている。
【００１３】
ミスト冷却機用カバー2の裏面には、ミスト冷却機の前面と当接する当接部3と、ミスト冷却機の一部を貫通するボルトが螺合する雌螺子部4とが形成されていて、ミスト冷却機1とミスト冷却機用カバー2を一体化することが出来る。
【００１４】
ミスト冷却機用カバー2に発光体5を取り付ける事により、ミスト冷却による清涼感と共にキャラクターや発光体の発光により、人々を楽しませる事が出来る。
【符号の説明】
【００１５】
1  ミスト冷却機
2  ミスト冷却機用カバー
3  ミスト冷却機とミスト冷却機用カバーの当接部
4  ミスト冷却機とミスト冷却機用カバーを固定するボルトと螺合する雌螺子部
5  発光体
【図１】
0003196692.tif 000003
【図２】
0003196692.tif 000004
(57)【要約】      （修正有）【課題】機織り機において、縦糸の複雑な工程を簡単にする綜絖を提供する。【解決手段】仕切り板１に縦糸ガイドＡを左端に、仕切り板２に縦糸ガイドＢを右端に付けたものを１組として複数組み立てる。縦糸を綜絖の上から乗せる構造にしたので、整経がとても楽になり、結果途中でも取り外し又再度取り付けて織ることが可能となる。【選択図】図４
0003196610.tif 000002
【実用新案登録請求の範囲】
【請求項１】
仕切り板（１）に縦糸ガイド（Ａ）を左端に、仕切り板（２）に縦糸ガイド（Ｂ）を右端に付けたものを１組として複数組み立てた綜絖。
【考案の詳細な説明】
【技術分野】
【０００１】  この考案は機織り機の綜絖に関するものである。
【背景技術】
【０００２】  従来の機織り機において、縦糸の整経は複雑な工程であるために一般の愛好者は挫折することが多い原因になっている。又一度機械に装着したら織り上がるまでは取り外すことはできない欠点もある。これらの欠点を解消するために考案された綜絖。
【先行技術文献】
【特許文献】
【０００３】  なし
【考案の概要】
【考案が解決しようとする課題】
【０００４】  縦糸の複雑な整経工程を簡単にするために考案したのである。
【課題を解決するための手段】
【０００５】  縦糸の複雑な整経工程を簡単にするために考案したのである。
縦糸を綜絖の上から乗せる構造にしたのである。
【考案の効果】
【０００６】  縦糸を綜絖の上から乗せる構造にしたので、整経がとても楽になった、結果途中でも取り外し又再度取り付けて織ることが可能となった。
【図面の簡単な説明】
【０００７】
【図１】  従来の縦糸と綜絖の図
【図２】  本考案の綜絖を後方に倒した図
【図３】  本考案の綜絖を前方に倒した図
【図４】  本考案の仕切り板の詳細図
【図５】  本考案の綜絖の外観図
【考案を実施するための形態】
【０００８】  図４  に示した如く中心の下端に支点を持つ仕切り板（１）の左端にスペーサーを兼ねた板を付けたものである、その板の先端は縦糸ガイド（Ａ）となっている。
この縦糸ガイド（Ａ）の構造は左側の図の如くピン（Ｅ）でも同じ効果がある。
この仕切り板（１）と対称の右側に縦糸ガイド（Ｂ）を付けた仕切り板（２）を１組として、図５  の如く複数組を積み重ねた構造の綜絖。
【符号の説明】
【０００９】（１）  左側に縦糸ガイドを持つ仕切り板
（２）  右側に縦糸ガイドを持つ仕切り板
（Ａ）  縦糸ガイド
（Ｂ）  縦糸ガイド
（Ｃ）  仕切り板の支点
（Ｇ）  縦糸
（Ｅ）  ピン
【図１】
0003196610.tif 000003
【図２】
0003196610.tif 000004
【図３】
0003196610.tif 000005
【図４】
0003196610.tif 000006
【図５】
0003196610.tif 000007
(57)【要約】      （修正有）【課題】携帯に便利で瞬時に丸め曲げして見やすい傾斜角に起こし立て支持することができるスマートフォンスタンドを提供する。【解決手段】はね丸め特性を備えたスチール入りのシリコン製帯体２の中心部に吸盤３を取付けて、スマートフォン６の裏面に帯体を取外し可能に取付ける。スチールのはね丸め特性により帯体の中心部を挟んだ両翼を外側に瞬時に丸め曲げしてスタンド脚７を構成することにより、スマートフォンを見やすい傾斜角に起こし立てできる。【選択図】図４
0003196668.tif 000002
【実用新案登録請求の範囲】
【請求項１】
はね丸め特性を有すスチール入りの帯体の中心部に吸盤を取付け、または中心部の両側に剥がしシート付きの糊面を設けてスタンド体を形成し、該スタンド体を平面形に展開して中心部をスマートフォンの裏面に吸着または貼付け、前記スチールのはね丸め特性によりスタンド体の両翼を外側に丸め曲げして、スタンド脚を構成させ、スマートフォンを見やすい傾斜角に起こし立てするようにしたことを特徴とするスマートフォンスタンド。
【考案の詳細な説明】
【技術分野】
【０００１】
この考案はスマートフォンスタンドに関するものある。
【背景技術】
【０００２】
この種のスタンドとしては登録第３１７６５２２号実用新案がある。該実用新案は動物などの造形物にてなるスタンド体に着脱可能の固定部を設けて携帯電話端末を立て置きすることができるようにしたことを記載している。
【特許文献１】実用新案登録第３１７６５２２号公報
【考案の開示】
【考案が解決しようとする課題】
【０００３】
しかしながら、動物などの造形物にてなるスタンド体は嵩ばるので取付けたままの携帯は著しく不便という課題がある。
また、固定部の位置、携帯電話端末への取付け方によっては携帯電話端末の立て置きが不安定になるという課題がある。
【課題を解決するための手段】
【０００４】
本考案は、スタンド体を構成する帯体をはね丸め特性を有すスチール入りにて形成し、平面形に展開してスマートフォンの裏面に中心部を吸着または貼付け、帯体の一端を押すなどしてスチールのはね丸め特性により帯体の両翼を瞬時に丸め曲げてスタンド脚を構成してスマートフォンを見やすい傾斜角に起こし立て支持するようにして課題を解決する。
【考案の効果】
【０００５】
本考案のスタンドは、平面形の帯体によって構成されるために嵩ばらないから、スマートフォンに取付けたまま携帯することができるという効果を生ずる。
【０００６】
はね丸め特性を有すことによってワンタッチ且つ瞬時に丸め曲げしてスタンド脚を構成することができるという効果を生ずる。
【０００７】
スマートフォンを見やすい傾斜角に安定して起こし立てすることができるという効果を生ずる。
【０００８】
吸盤と糊面のいずれかにてスマートフォンに取付けることができるという効果を生ずる。
【図面の簡単な説明】
【０００９】
【図１】（ａ）はスタンド体を展開した状態にて示す正面図、（ｂ）は同、背面図、（ｃ）は同、側面図
【図２】（ａ）はスタンド体をスマートフォンの裏面に吸着した状態を示す側面図、（ｂ）は同、はね丸めてスタンド脚を構成した状態を示す側面図
【図３】同、スマートフォンを起こし立て支持している状態を示す図
【図４】スタンド体の吸着位置を調整した起こし立て例を示すスマートフォンの裏面斜視図
【図５】（ａ）は第２実施例のスタンド体を展開した状態にて示す背面図、（ｂ）はスマートフォンの裏面に貼着取付けした状態を示す側面図
【符号の説明】
【００１０】
１はスチール
２は帯体
３は吸盤
４ａは剥がしシート
４ｂは糊面
５はスタンド体
６はスマートフォン
７はスタンド脚
【考案を実施するための最良の形態】
【００１１】
本考案は、はね丸め特性を有すスチール入りの帯体と、該帯体の中心部に吸盤を取付け、または中心部の両側に剥がしシート付きの糊面を設けてスタンド体とし、該スタンド体を平面形に展開して中心部をスマートフォンの裏面に吸着または貼付け、スタンド体の一端を押すなどすることでスチールのはね丸め特性を活かしてスタンド体の両翼を瞬時に外側に丸め曲げしてスタンド脚を構成して、スマートフォンを見やすい傾斜角に起こし立て支持するように構成する。
【実施例１】
【００１２】
図１乃至図４は本考案の第１実施例であって、芯としてはね丸め特性を有すスチール１を入れたシリコン製の帯体２と。帯体２の中心部に吸盤３を取付けてスタンド体５を形成し、該スタンド体５を平面形に展開して中心部をスマートフォン６の裏面に吸着し、使用時にスタンド体５の一端を押すなどして図２（ｂ）に示すようにスチール１の特性によりスタンド体５を中心部を挟んで両翼を外側に瞬時に丸め曲げしてスタンド脚７を構成して図３に示すようにスマートフォン６を見やすい傾斜角に起こし立て支持する。スタンド脚７は図２（ｂ）に示すように側面視有端の円形となる。
【００１３】
起こし立てを解いて携帯するときは丸め曲げしたスタンド脚７を両端に引き伸ばし圧を加えると瞬時に展開して再び平面形に戻るので、スタンド体５はスマートフォン６に添着して嵩ばらない状態となるから携帯しやすくなる。
【００１４】
傾斜角は吸盤３の取付け位置を調整することで例えば図４に示すように各自の見やすい角度にかえて起こし立て支持することができる。
【００１５】
なお、はね丸め特性を有すスチール１は幅方向に反りを設けて、反ったときに平面形に伸びた展開状態となり、押すなどして反りを解くと弾性により瞬時に丸め曲がるように焼き入れして形成される。
【実施例２】
【００１６】
図５は第２実施例であって、帯体２の中心部の吸盤にかえて、中心部の両側に剥がしシート４ａ付きの糊面４ｂを設けてスタンド体５を形成し、スマートフォン６の裏面に取付けるようにしたほかは第１実施例と同じである。なお糊面は４ｂは中心部の１個所に設けることもある。
【００１７】
本考案のスタンドは、スマートフォンのほか同タイプの電子書籍リーダー，ミニパソコンなど各種のモバイル機器に取付けて使用することができる。
【産業上の利用可能性】
【００１８】
本考案のスマートフォンスタンドは、取付けたままでも嵩ばらずして携帯に便利で、使用時にはワンタッチ操作にて瞬時にスタンド脚を構成してスマートフォンを見やすい傾斜角に起こし立て支持することで広く利用されるものである。
【図１】
0003196668.tif 000003
【図２】
0003196668.tif 000004
【図３】
0003196668.tif 000005
【図４】
0003196668.tif 000006
【図５】
0003196668.tif 000007
(57)【要約】      （修正有）【課題】サンダルの甲被を交換可能とすることにより、通常時、雨天時の両方に使用できる夏サンダルを提供する。【解決手段】サンダルの甲被２をサンダル台１に対して着脱自在とすることにより、一足で通常時、雨天時の両方に使用できるようにする。着脱自在の甲被２は、複数の通気孔２１を有するものと通気孔を有さない撥水性のものとの２種類を有し、サンダル台１と甲被２との接合部材には防水機能を有するファスナー４を使用する。また、サンダル台１には、甲被２の装着部位後方に足甲の上圧力によるファスナー４の破損を防ぐため、ストラップ５が橋設されている。【選択図】図１
0003196676.tif 000002
【実用新案登録請求の範囲】
【請求項１】
甲被がサンダル台に対して着脱自在に設置されることを特徴とする夏用のサンダル。
【請求項２】
前記サンダル台には少なくとも２の形態の甲被が着脱可能であって、前記２の形態の甲被のうち１の形態の甲被は、少なくとも１の通気孔を具備することを特徴とする請求項１記載のサンダル。
【請求項３】
前記２の形態の甲被のうち１の形態の甲被は、表面に撥水性の素材が使用されていることを特徴とする請求項１又は２記載のサンダル。
【請求項４】
前記サンダル台と前記甲被との接合部材には、防水機能を有するファスナーを使用することを特徴とする請求項１乃至３のいずれかに記載のサンダル。
【請求項５】
前記サンダル台には、前記甲被の装着部位後方にストラップが橋設されていることを特徴とする請求項１乃至４のいずれかに記載のサンダル。
【考案の詳細な説明】
【技術分野】
【０００１】
本考案は、通常時・雨天時の両時に使用可能な夏サンダルに関する。
【背景技術】
【０００２】
従来、夏サンダルは、サンダル上部に多数の穴を有し、通気性を良くしたものが知られている。
【先行技術文献】
【特許文献】
【０００３】
【特許文献１】特開２００１−２８６３０５号
【特許文献２】特許第５４４８１２７号
【考案の概要】
【考案が解決しようとする課題】
【０００４】
サンダル上部に多数の穴を有する従来の夏サンダルは通気性に優れるが、雨天時には雨水が穴から侵入して足が濡れてしまう。
【０００５】
特許文献１には、アッパーに通気孔を設け、通気性に考慮した雨天用履物の考案が開示されているが、夏には雨が上がれば、さらに通気性を求め、別のものに履き替えるのが通常である。また、特許文献２には歩行動作によって甲被内に強制的に空気を導入する構成とすることにより、足の蒸れを防ぐサンダルの発明が特許されているが、空気排出孔の大きさと数は通常のサンダルと変わりないため、複雑な構造を有する割に効果は限定的であると言わざるを得ない。さらに、雨天時には空気の導入孔と排出孔からの雨水の侵入を防ぐため、雨用のカバーの着用を余儀なくされるといった欠点もある。
【０００６】
高温多湿を特徴とする我が国の夏の気候においては、通常時は直射日光を防ぎ、多くの通気孔を有する甲被のサンダルを使用し、雨天時にはしっかりとした防水機能を有する甲被のサンダルを使用する必要があり、いかに履物自体の構造を変えても、一足で通常時と雨天時の両時をカバーすることは難しい。このため、通常のサンダルと雨天時用のサンダルの両方をそろえる必要があり、費用や保管場所のスペースといった観点から問題があった。
【０００７】
上述の問題に鑑み、本考案においては、サンダルの甲被を交換可能とすることにより、通常時、雨天時の両方に使用できる夏サンダルを提供することを課題とする。
【課題を解決するための手段】
【０００８】
上記課題を解決するために、本考案に係る夏サンダルは、サンダルの甲被をサンダル台に対して着脱自在とすることにより、一足で通常時、雨天時の両方に使用できるようにしたことを特徴とする。
【０００９】
前記着脱自在の甲被は、複数の通気孔を有するものと通気孔を有さない撥水性のものとの２種類を有し、サンダル台と甲被との接合部材には防水機能を有するファスナーを使用する。また、サンダル台には、甲被の装着部位後方に足甲の上圧力によるファスナーの破損を防ぐため、ストラップが橋設されている。
【考案の効果】
【００１０】
本考案により、通常時・雨天時用の２足の夏サンダルを用意する必要がなくなり、１足で済ますことができるようになる。
【００１１】
１足の夏サンダルで通常時・雨天時を済ますことができるようになるため、夏サンダル購入費用が減少する。
【００１２】
１足の夏サンダルで通常時・雨天時を済ますことができるようになるため、サンダル保管場所に必要なスペースが減少する。
【００１３】
甲被を着脱自在としたことにより、多くの色や模様、通気孔のデザインを変えたものを、1足のサンダルで楽しむことができる。
【図面の簡単な説明】
【００１４】
【図１】通常時の甲被２とサンダル台１との組み合わせを示す平面図である。
【図２】雨天時の甲被３とサンダル台１との組み合わせを示す平面図である。
【図３】甲被２を装着した夏サンダルの平面図である。
【図４】甲被３を装着した夏サンダルの平面図である。
【考案を実施するための形態】
【００１５】
以下、本考案の実施形態について図を用いて説明する。
図１及び２に示すように、本考案に係る夏サンダルは、サンダル台１と甲被２、３が分離していて、その日の天気に応じて、甲被２又は甲被３を選択してサンダル台１に装着して使用できる構成になっている。
【００１６】
図１は通常時の甲被２とサンダル台１との組み合わせを示し、甲被２には夏用のサンダルとして多数の通気孔２１が設けられている。図３は甲被２を装着したときの夏サンダルを示す。
【００１７】
図２は雨天時の甲被３とサンダル台１との組み合わせを示し、甲被３の表面には雨水をはじく撥水性の素材が使用されている。図４は甲被３を装着したときの夏サンダルを示す。
【００１８】
甲被２又は３とサンダル台１との接合部材としては、雨水の浸水を防ぐため、防水機能を有するファスナー４が使用されている。さらに、本実施形態においては、歩行時に甲被が足甲から受ける力によってファスナーが破損しないように、ストラップ５がサンダル台１に橋設されている。
【００１９】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。特に装着可能な甲被の種類と数、甲被とサンダル台との接合方法、通気孔の数・形状については、それらを限定する請求項に記載の考案を除いて、様々な実施形態が可能であり、それらについての本実施形態と異なる形態又は方法による実施は、本考案の技術的範囲に含まれるものと解する。  
【符号の説明】
【００２０】
１    サンダル台
２    甲被（通常時用）
２１  通気孔
３    甲被（雨天時用）
４    ファスナー
５    ストラップ
【図１】
0003196676.tif 000003
【図２】
0003196676.tif 000004
【図３】
0003196676.tif 000005
【図４】
0003196676.tif 000006
(57)【要約】      （修正有）【課題】骨のずれや筋肉の重なり具合、深部の神経や血管の走行が、わかりやすく理解できるマグネット式人体解剖標本を提供する。【解決手段】マグネット用紙に骨、筋肉、神経、血管の図を印刷し、形状に切り抜いたパーツを、重ね貼りする。パーツをめくることによって、深部の組織の形状をみることができるので、正しい人体の組織形状を簡単に理解できる。【選択図】図１
0003196413.tif 000002
【実用新案登録請求の範囲】
【請求項１】
マグネット用紙を用いて、骨・筋肉・神経・血管などの人体を構成する組織の標本をつくることを、実用新案登録の請求範囲とする。
【考案の詳細な説明】
【技術分野】
【０００１】
この発明は、マグネット用紙を利用した人体解剖標本に関することである。
詳細にいえば、人体の骨や筋肉、神経血管などを、各パーツごとにマグネット用紙に印刷、その形に裁断した模型を作ることである。
【背景技術】
【０００２】
医学の基礎である解剖学を学習する際、人体の組織を図や写真で示した本を使用するのが一般的である。
【先行技術文献】
【特許文献】
【０００３】
【特許文献１】電子図書館でマグネットおよび人体模型で検索をかけたが、記載はない。
【考案の概要】
【考案が解決しようとする課題】
【０００４】
これには、つぎのような欠点があった。
人間は、約３００（総６００個）もの筋肉がある。その筋肉は、さまざまな方向の運動をスムーズに行うため、人体の浅部や深部に何層も重なっている。それを書籍で学習すると、どうしても二次元での描写のため、正確な部位のイメージがつかみにくい。
また、骨は２０６個あるが、書籍では、可動することができないため、連動を説明するのがむつかしい。
神経や血管も、骨や筋肉の隙間を走行し、三次元的に位置をイメージするのが困難である。
本説明は、以上のような欠点をなくすためになされたものである。
【課題を解決するための手段】
【０００５】
人体を構成する組織（骨・筋肉・血管・神経）を、各パーツごと形作り、それをマグネット化して、重ねて張り付けることができるようにする。
本説明は、以上の構成よりなるマグネット式解剖標本である。
【考案の効果】
【０００６】
筋肉などのパーツを動かすことができるので、筋肉の重なり具合や深部の神経、血管の走行が、わかりやすく理解できる。
また、骨の場合もひとつひとつ動かすことができるので、ずれなどを説明しやすい。
【図面の簡単な説明】
【０００７】
【図１】筋肉の層を説明するのが難しい例として、臀部の筋肉を表示する。臀部の最深部の筋肉群。上から、梨状筋（１０）、上双子筋（３）、内閉鎖筋（１）、下双子筋（５）、大腿方形筋（７）
【図２】図１の筋群の上に、小殿筋（１７）が付く
【図３】図２の上に、中殿筋（１３）が付く
【図４】すべてを覆うように、一番浅部に大臀筋が付く。
【考案を実施するための形態】
【０００８】
以下、本発明を実施するための形態について説明する。
書籍などから、骨や、筋肉などの一つ一つの模型図を作成する。
それをマグネット用紙に印刷、形状に沿って裁断し、人体の標本のようにならべる。
【実施例】
【０００９】
例えば、臀部の筋肉を説明をする。（図参照）
臀部の筋肉は、骨盤と大腿骨を結びつけているが、股関節がいろいろな運動ができるよう、正式には８個の筋肉がある。
臀部の筋肉として、有名なのは大臀筋だが、それは、おしりの一番浅部の筋肉であり、その下には中臀筋がある。そして、骨盤の骨（腸骨）に一番近い深部には、上から、小殿筋、梨状筋、上双子筋、内閉鎖筋、下双子筋、大腿方形筋がある。
図を見てお判りのように、このように重なった筋肉の正確な位置と形状は、二次元的図表では理解しづらいものがある。
その筋肉を一つ一つの形状に切り抜いたパーツを磁石の力で付く模型をつくり、骨盤の上に順に貼り付け、並べれば、パーツをめくることで、筋肉の形状と位置が、正しく理解しやすい。
【産業上の利用可能性】
【００１０】
医療の教育現場で、人体解剖を学ぶ際の教材として使用できる。
また、整形外科や鍼灸・柔整・マッサージ・整体・スポーツ科学の分野で、骨のゆがみ具合や傷ついている筋肉を説明する際、利用できる。
【図１】
0003196413.tif 000003
【図２】
0003196413.tif 000004
【図３】
0003196413.tif 000005
【図４】
0003196413.tif 000006
【手続補正書】
【提出日】平成26年9月17日(2014.9.17)
【手続補正１】
【補正対象書類名】実用新案登録請求の範囲
【補正対象項目名】全文
【補正方法】変更
【補正の内容】
【実用新案登録請求の範囲】
【請求項１】
形状として、マグネット用紙で作った人体の骨、筋肉、血管、神経の模型を申請し、それを人体の位置どおりに組み合わせた標本をつくることを、実用新案の請求範囲とする。
【手続補正２】
【補正対象書類名】図面
【補正対象項目名】全図
【補正方法】変更
【補正の内容】
【図１】
0003196413.tif 000007
【図２】
0003196413.tif 000008
【図３】
0003196413.tif 000009
【図４】
0003196413.tif 000010
【図５】
0003196413.tif 000011
【図６】
0003196413.tif 000012
【図７】
0003196413.tif 000013
【図８】
0003196413.tif 000014
【図９】
0003196413.tif 000015
【図１０】
0003196413.tif 000016
【手続補正３】
【補正対象書類名】明細書
【補正対象項目名】０００７
【補正方法】変更
【補正の内容】
【０００７】
【図１】脊柱説明図A.マグネット用紙で作成した胸椎と腰椎と仙骨。Ｂ．正常な脊椎の形に組み合わせたもの。Ｃ.異常な脊椎の形に組み合わせたものの例１。Ｄ.異常な脊椎の形に組み合わせたものの例２．E.異常な脊椎の形に組み合わせたものの例３．
【図２】一般的な臀部の筋肉描写図。比較するための参考資料。重なっている下の腱や筋肉の形がはっきりしない。
【図３】臀部の筋肉のマグネット模型パーツ図。
【図４】臀部の筋肉マグネット模型パーツを利用した、臀部の筋肉。重なりを空間で表したもの。
【図５】一般的な肩関節前面の筋肉描写図。比較するための参考資料。重なっている下の腱や筋肉の形がはっきりしない。
【図６】肩関節前面の筋肉のマグネット模型パーツ図。
【図７】マグネット模型パーツを利用した、肩関節前面の筋肉。重なりを空間で表したもの。
【図８】一般的な肩関節後面の筋肉描写図。重なっている下の腱や筋肉の形がはっきりしない。
【図９】肩関節後面の筋肉のマグネット模型パーツ図。
【図１０】マグネット模型パーツを利用した、肩関節後面の筋肉。重なりを空間で表したもの。
【手続補正書】
【提出日】平成27年1月11日(2015.1.11)
【手続補正１】
【補正対象書類名】実用新案登録請求の範囲
【補正対象項目名】全文
【補正方法】変更
【補正の内容】
【実用新案登録請求の範囲】
【請求項１】
マグネット紙に印刷された人体の骨、筋肉、血管、神経の各パーツより構成されたことを特徴とするマグネット式人体解剖標本
(57)【要約】      （修正有）【課題】応援用団扇において、扇面に加工を施し、アピール度を高める団扇を提供する。【解決手段】扇面１に小窓を開け、そこに小さな円盤（回転子２）を付け、団扇を動かして回転子を揺らしたり、回転させることにより、アピール度を上げることができる。また回転子に貼付の紙の交換により時期を逸せず場面の状況に合わすことができる。【選択図】図１
0003196416.tif 000002
【実用新案登録請求の範囲】
【請求項１】
扇面の中に小窓を開け、それに小さな円盤（回転子）を取り付け、アピール効果を高めることを特徴とした団扇。
【請求項２】
上記の回転子の両表面に金属板を固定し、その上に磁性のある貼付紙を貼り、その貼付紙の交換により何度でも、自由に替えられることを特徴とした団扇。
【考案の詳細な説明】
【技術分野】
【０００１】    この発明は競技、芸能等の応援グッズとしての団扇の形状に関する。
【背景技術】
【０００２】    従来の応援用の団扇としては、扇面に文字を書いたり、写真、似顔絵等を貼りアピールするものがおおかった。
【考案の概要】
【考案が解決しようとする課題】
【０００３】    しかしながら、以上の技術によれば、扇面の色、文字、写真、似顔絵等でアピールするだけで物足りなさを感じた。
そこで、この考案は、扇面に加工を施し、アピール度を高めることが出来る団扇を提供することを課題とする。
【課題を解決するための手段】
【０００４】    以上の課題を解決するために、第一考案は、扇面に小窓を開け、そこに回転する円盤（回転子）を取り付け、自然の風、団扇を動かせたときの風によって回転子が揺れたり回転したりして、従来の団扇に動きを加え、アピール度を高めることができることを特徴とする応援用団扇である。
また、第二考案は、上記、回転子の表面に金属板を接着剤で固定し、その上に絵柄の付いた磁性の紙を貼付している。場面によって最適な磁性の紙と張り替えることによって、時期を違わずアピールすることができることを特徴とする応援用団扇である。
【考案の効果】
【０００５】    扇面に回転する円盤（回転子）がついたので、従来の応援用団扇に動きが加わり、アピール度が高められる。また、回転子に変更可能な磁性の紙を貼付したので時期を逸せず、応援することが出来る。
【図面の簡単な説明】
【０００６】
【図１】この考案の一実施形態を示す平面図である。
【図２】図１の断面図である。
【図３】図１の骨組、及び組立図である。
【考案を実施するための形態】
【０００７】    この考案の一実施を、図１に示す。
団扇の本体１は、骨組はプラスチックであり、表面は紙が貼られている。この本体の中に子窓を開け、そこに絵の付いた回転子（小さな円盤）２が設けられている。また回転子の絵の模様は紙の交換により変更可能である。
【０００８】「実施形態の効果」
この実施形態によれば、団扇の中に風により揺れたり、回転する小さな円盤（回転子）が付いたので、応援用団扇のアピール度が高められる。また回転子の貼付紙の交換により、時期を逸せず場面に適した表示が可能となった。
【０００９】「他の実施形態」
図１の実施形態では、丸いプラスチック製であったが、他の実施形態では、材料、大きさ、等、自由で扇面に小窓を開け、回転する小さな円盤（回転子）が付いたものであればかまわない。回転子が複数のものでも良い。
【符号の説明】
【００１０】  １、団扇本体
２、回転子
【図１】
0003196416.tif 000003
【図２】
0003196416.tif 000004
【図３】
0003196416.tif 000005
【手続補正書】
【提出日】平成26年10月9日(2014.10.9)
【手続補正１】
【補正対象書類名】実用新案登録請求の範囲
【補正対象項目名】全文
【補正方法】変更
【補正の内容】
【実用新案登録請求の範囲】
【請求項１】
扇面の中に小窓を開け、それに小さな円盤を取り付け、円盤を回転させ、アピール効果を高めることを特徴とした団扇。
【請求項２】
円盤の両表面に金属板を接着固定し、その上に磁性のある貼付紙を貼り、その貼付紙の交換により何度でも、自由に替えられることを特徴とした団扇。
【手続補正書】
【提出日】平成26年12月4日(2014.12.4)
【手続補正１】
【補正対象書類名】実用新案登録請求の範囲
【補正対象項目名】請求項２
【補正方法】変更
【補正の内容】
【請求項２】
扇面の中に小窓を開け、それに小さな円盤をとりつけ、円盤を回転させ、アピール効果を高めることを特徴とする請求項１に記載の団扇の円盤の両表面に金属板を接着固定し、その上に磁性のある貼付紙を貼り、その貼付紙の交換により何度でも、自由に替えられることを特徴とした団扇。
(57)【要約】      （修正有）【課題】従来の平面ホワイトボードでは記入・表現の難しい説明・解説を、簡単に説明・解説に用いることが出来、且、組み合わせ・着脱可能な多面体・曲面体を持つ立体ホワイトボードを提供する。【解決手段】所定の立体形状をした造形基材４と、造形基材４の表面に形成されたマグネット部３と、マグネット部３の表面に形成されたホワイトボード部２とよりなる。造形基材４にマグネット部３・ホワイトボード部２を持つ、マグネット付きホワイトボード材を装着する事によって、表面にホワイトボード機能を持ちながら、立体ホワイトボード同士や従来のホワイトボード、様々な金属素材を持つ物質に組み合わせ・着脱可能とする。【選択図】図３
0003196433.tif 000002
【実用新案登録請求の範囲】
【請求項１】
造形基材にマグネット付きホワイトボード材を装着し、様々な大きさ・立体に加工する事を特徴とする立体ホワイトボード構造。
【考案の詳細な説明】
【技術分野】
【０００１】  本考案は、平面のホワイトボードでは説明・解説の難しい事案を解決するために、ホワイトボードを曲面体や多面体の立体にして、組み合わせ可能にして、説明・解説を簡単に出来るようにした考案である。
【背景技術】
【０００２】  従来に、立体で組み合わせや着脱可能なホワイトボードは無かった。
【先行技術文献】
【０００３】
【特許文献１】  特許公開平６−２１０９９２
【考案が解決しようとする課題】
【０００４】  しかしながら、上記特許文献１にあっては本体が立体ではあるが円筒形であり，その本体を回転させるために軸の付いた台も設けており、本体が回転することや台があることで、ホワイトボードに組み合わせることや、手に持って移動させ説明・解説することが容易ではない。
【０００５】  又、従来の平面のホワイトボードであると、立体物を説明・解説するために、記入者自身が立体物を平面のホワイトボードに記入・表現し、説明・解説する必要があった。
【０００６】  立体とは多面体・多角柱・円柱・球・錐体の様に様々な形を持っており、又、立体と立体の組み合わせもあることから、従来のホワイトボードでの記入・表現は困難であった。
【０００７】  又、従来のホワイトボード上で記入・表現した立体物の、移動についての説明・解説において、一度記入した立体物を消去したり、移動先に新たに記入・表現する必要もあった。
【課題を解決するための手段】
【０００８】  立体基材にマグネット付きホワイトボード材を貼り、様々な立体・大きさに加工した立体ホワイトボードである。
【考案の効果】
【０００９】  ホワイトボードを立体にする事によって、平面では表現の難しい立体物の説明・解説を、本考案はホワイトボード自体が立体物である事によって、説明・解説が簡単に出来るようになった。
【００１０】  又、記入した表現物の移動の説明・解説において、この立体ホワイトボード自体が手持ちサイズで持ち運び可能であるため、記入した表現物を消去する事無く、説明・解説に用いる事が出来る。
【００１１】  又、マグネット付きホワイトボードなので、立体ホワイトボード同士の組み合わせや従来の平面ホワイトボード、金属素材を持つ様々な物質にも着脱できるようになり、意図する説明・解説が従来より容易にできるようになる。
【図面の簡単な説明】
【００１２】
【図１】  立体ホワイトボードの本体図。尚、立体とは多面体・多角柱・円柱・球・錐体も含むため、これに限らない。
【図２】  曲面を持つ立体ホワイトボードの本体図。
【図３】  図１の立体ホワイトボードのＡの位置を、底面から見た断面図である。
【図４】  図２の立体ホワイトボードのＢの位置を、底面から見た断面図である。
【図５】  図１の立体ホワイトボードを２個組み合わせた使用図である。
【図６】  図２の立体ホワイトボードを２個組み合わせた使用図である。
【図７】  従来の平面ホワイトボード上での、図１と図２の立体ホワイトボードの使用図。
【考案を実施するための形態】
【００１３】  以下、本考案の立体ホワイトボード構造を、その実施の形態について実施例に基づいて説明する。
【００１４】  図１と図２は本考案の立体ホワイトボードの中で、多様にある立体物の中から二つを例に取り図面に表したものであるが、本考案の立体とはこれに限らない。
【実施例】
【００１５】  図３と図４は、図１のＡの位置・図２のＢの位置の底面から見た断面図であるが、造形基材３とは様々な立体に成形可能な合成樹脂を含む非金属材料や複合材料の事である。【００１６】  図面３と図面４の２と３は、本考案のマグネット付きホワイトボード材１の事であり、図面３と図面４ではホワイトボード部２とマグネット部３として色分けして記載している。【００１７】  必要な形に成形した造形基材４に、成形した造形基材４と同様に成形した、マグネット部３とホワイトボード部２を持つマグネット付きホワイトボード材１を装着させる。【００１８】  尚、マグネット付きホワイトボード材１を造形基材４に装着させてから、必要な形に成形する事も実施の形態とする。
【符号の説明】
【００１９】１  マグネット付きホワイトボード材
２  ホワイトボード部
３  マグネット部
４  造形基材
５  従来の平面ホワイトボード
【図１】
0003196433.tif 000003
【図２】
0003196433.tif 000004
【図３】
0003196433.tif 000005
【図４】
0003196433.tif 000006
【図５】
0003196433.tif 000007
【図６】
0003196433.tif 000008
【図７】
0003196433.tif 000009
【手続補正書】
【提出日】平成26年12月15日(2014.12.15)
【手続補正１】
【補正対象書類名】実用新案登録請求の範囲
【補正対象項目名】全文
【補正方法】変更
【補正の内容】
【実用新案登録請求の範囲】
【請求項１】
所定の立体形状をした基材と、前記基材の表面に形成されたマグネット部と、前記マグネット部の表面に形成されたホワイトボード部とよりなる立体ホワイトボード。